(57)【特許請求の範囲】
【請求項１】
対象物に対して固定され所定の対象方向の両側についてそれぞれ対象物の傾斜角度が所定の対象角度よりも大きいことを検出する傾斜センサであって、
導電材料を含む球形状の移動体と、内部を移動体が変位可能な案内路が設けられ対象物に対して固定される案内体と、それぞれ案内路の対象方向での一端部ずつに近接配置された２個のコイルとを備え、
案内路の上向きの内面は対象物が傾いていないときの移動体の位置から対象方向の両側に向かってそれぞれ上向きに傾斜しており、
案内路の対象方向での両端部において、それぞれ、上向きの内面には、対象方向に向かって上向きの傾斜角度が対象角度よりも小さい緩傾部が設けられていて、
案内体は、それぞれ内周面が案内路の対象方向での端部を構成するとともにコイルが巻回された２個のボビンと、ボビンの間において案内路の少なくとも上下の内面を構成する案内本体とを有し、
緩傾部はボビンの内面のみに設けられていることを特徴とする傾斜センサ。
【請求項２】
対象物に対して固定される取付部を有するハウジングを備え、
ハウジングは、各コイルと各ボビンと案内本体とがそれぞれ収納される収納凹部が設けられたボディと、ボディに結合して収納凹部を閉塞するカバーとを有し、
ボディの収納凹部の内面には、案内本体に当接してボディに対して位置決めする位置決め部が設けられていることを特徴とする請求項１記載の傾斜センサ。
【請求項３】
案内本体は、合成樹脂成型品からなり、深さ方向が上下方向と対象方向とに交差する方向であって案内路となる案内溝と、対象物に対して固定される取付部とを有し、
案内本体に結合して案内溝を閉塞するカバーを備えることを特徴とする請求項１記載の傾斜センサ。
【請求項４】
対象物に対して固定される取付部と各ボビン及び各コイルがそれぞれ収納される収納凹部とがそれぞれ設けられたボディを備え、
案内本体は、合成樹脂成型品からなり、ボディに結合して収納凹部を閉塞するとともに、深さ方向が対象方向と上下方向とに交差する方向であってボディによって閉塞されて案内路となる案内溝を有することを特徴とする請求項１記載の傾斜センサ。
【請求項５】
ボディにおいて案内溝を閉塞する部位には、ボディにおいて案内本体に向けられる面を上向きとしたときに移動体の一部が収納されて移動体を案内路の範囲内に保持する保持凹部が設けられていることを特徴とする請求項４記載の傾斜センサ。
【請求項６】
案内本体の案内溝の内面において少なくとも対象物が傾いていないときに移動体を上下から挟む範囲は、二重成型により他の部位よりも柔軟な材料で構成されていることを特徴とする請求項３〜５のいずれか１項に記載の傾斜センサ。
【請求項７】
案内本体の一部を挟む挟み部をボビンに設けたことを特徴とする請求項１〜６のいずれか１項に記載の傾斜センサ。
【発明の詳細な説明】
【技術分野】
【０００１】
本発明は、傾斜センサに関するものである。
【背景技術】
【０００２】
従来から、対象物に対して固定され所定の対象方向の両側について対象物の傾斜角度が所定の対象角度よりも大きいことを検出する傾斜センサが提供されている（例えば、特許文献１参照）。
【０００３】
この種の傾斜センサとして、本発明者は特願２００７−１７７６５９において図１３〜図１６に示すようなものを提案している。以下、この傾斜センサについて、図面を参照しながら説明する。
【０００４】
この傾斜センサは、球形状の移動体１と、内部を移動体１が変位可能な案内路２０が設けられ対象物に対して固定されるハウジング２と、それぞれ案内路２０の一方ずつの端部を構成する筒形状のボビン４０に巻回された２個のコイル４とを備える。以下、上下左右は図１３を基準とし、図１４の上下方向を前後方向と呼ぶ。
【０００５】
移動体１は、導電材料からなる球体を、球体よりも柔軟な被覆材料によって被覆したものである。上記導電材料としては、例えば鉄、銅、真鍮、ステンレス等を用いることができ、被覆材料としては、例えばゴム等を用いることができる。上記のように被覆材料による被覆を設ければ、被覆を設けず導電材料の球体のみで移動体１を構成する場合に比べ、動作時の案内路２０の内面と移動体１との衝突による騒音や磨耗粉の発生が抑制される。
【０００６】
ハウジング２は、案内路２０となる案内溝５０ａが前面に設けられたボディ５と、ボディ５に機械的に結合するカバー６とからなる。ボディ５とカバー６とはそれぞれ合成樹脂成型品からなる。カバー６には、案内溝５０ａを閉塞して案内路２０の前面を構成する凸部６１が後方へ突設されている。
【０００７】
また、各ボビン４０は、それぞれ、例えば合成樹脂成型品からなり、図１６に示すように、コイル４が巻回された状態でプリント配線板３０に例えば嵌合によって装着されてコイルブロック３を構成している。詳しく説明すると、各ボビン４０は、それぞれ、コイル４が巻回される筒形状の本体部４０ａと、本体部４０ａの軸方向の両端部においてそれぞれ本体部４０ａの全周にわたって本体部４０ａの径方向の外向きに突設されコイル４を挟む２個の鍔部４０ｂと、各鍔部４０ｂの上面にそれぞれ突設されプリント配線板３０に設けられた嵌合穴（図示せず）に嵌合する嵌合凸部４０ｃとを有し、嵌合凸部４０ｃがプリント配線板３０の嵌合穴に嵌合することによってプリント配線板３０に機械的に結合している。案内路２０の左右両端部は、ボビン４０によって構成される。つまり、ハウジング２と２個のボビン４０とが請求項における案内体を構成している。また、プリント配線板３０には、各コイル４にそれぞれ電気的に接続されてコイル４のインピーダンス変化に基いて傾斜を検出する検出回路を構成する回路部品３１が実装されている。このような検出回路は周知技術で実現可能であるので、詳細な説明は省略する。
【０００８】
さらに、ボディ５の前面には、案内溝５０ａが内側に設けられるとともにコイルブロック３が収納される収納凹部５０が設けられており、プリント配線板３０は収納凹部５０内において案内溝５０ａの上側に収納される。そして、収納凹部５０の内底面において案内溝５０ａの上側には、収納凹部５０の下向きの内面との間にプリント配線板３０を挟む位置決め凸部５０ｂが設けられている。また、位置決め凸部５０ｂは、プリント配線板３０の下端部を左右両側から挟む上向きコ字形状となっている。つまり、収納凹部５０の下向きの内面と位置決め凸部５０ｂとにより、ハウジング２に対するコイルブロック３の位置決めがなされている。
【０００９】
また、ボディ５は、収納凹部５０が前面に開口した直方体形状の本体部５１と、本体部５１の下端部から左右にそれぞれ突設された取付部５２と、本体部５１の上面から上方に突設された筒形状であってプラグ（図示せず）が電気的且つ機械的に接続されるレセプタクル５３とを有する。収納凹部５０には前後方向に直交する断面積を後側よりも前側において大きくする段５０ｃが全周にわたって設けられている。カバー６は前方から見た周縁部が段５０ｃの前側に位置することによりボディ５に対して後方への変位を禁止されるとともに、ボディ５に対する上下左右への変位を収納凹部５０の内周面によって制限されている。各取付部５２にはそれぞれ取付穴５２ａが前後に貫設されており、ハウジング２は例えば取付穴５２ａに挿通されたボルト（図示せず）によって対象物に固定される。また、ボディ５には、金属のような導電材料からなるコンタクト５４が、一端がレセプタクル５３内に突出し、他端が位置決め凸部５０ｂの上側で収納凹部５０内に突出する形で、例えばインサート成型によって保持されている。コンタクト５４の前記一端はレセプタクル５３に接続されたプラグのコンタクト（図示せず）に接触導通し、コンタクト５４の前記他端はプリント配線板３０に差込接続される。つまり、前記プラグと検出回路とはコンタクト５４を介して電気的に接続される。
【００１０】
次に、案内路２０の構造について説明する。案内溝５０ａの上向きの内面（すなわち案内路２０の上向きの内面）において、対象物が傾いていないときの移動体１の位置となる左右方向の中央部には、対象物が傾いていないときには水平とされる平坦部２０ａが設けられている。平坦部２０ａの左右両側には、それぞれ左右方向の外側へ向かって上向きに傾斜した平面形状の第１の傾斜部２０ｂが連続している。さらに、第１の傾斜部２０ｂの左右方向の外側には、平坦部２０ａに対する傾斜角度が第１の傾斜部２０ｂよりも緩やかな平面形状の第２の傾斜部２０ｃが延長されている。また、第２の傾斜部２０ｃの左右方向の外側には、平坦部２０ａに対する傾斜角度が第１の傾斜部２０ｂと同じ平面形状の第３の傾斜部２０ｄが延長されており、第２の傾斜部２０ｄの左右方向の外側の端部はボビン４０の内面によって構成されている。すなわち、ハウジング２が固定された対象物が、平坦部２０ａが水平となる基準位置から、平坦部２０ａに対する第１の傾斜部２０ｂの傾斜角度よりも大きい傾斜角度で、左右のいずれかに傾斜したとき、移動体１が案内路２０内を転がってボビン４０の内側へ変位することにより、コイル４のインピーダンスが変化する。そして、検出回路は、このコイル４のインピーダンスの変化に基いて、対象物の傾斜を検出する。つまり、左右方向が請求項における対象方向であり、平坦部２０ａに対する第１の傾斜部２０ｂ及び第３の傾斜部２０ｄの傾斜角度がそれぞれ請求項における対象角度である。
【００１１】
また、平坦部２０ａから上方への第１の傾斜部２０ｂの突出寸法ｈは、移動体１の半径をｒとおき、対象角度をθとおいて、ｈ＞ｒ（１−ｃｏｓθ）とされており、これによって第１の傾斜部２０ｂの端以外が移動体１に接触するようになっている。
【００１２】
また、それぞれ平坦部２０ａに対する傾斜角度が対象角度である第１の傾斜部２０ｂと第３の傾斜部２０ｄとの間に、平坦部２０ａに対する傾斜角度がより小さい第２の傾斜部２０ｃが設けられていることにより、対象方向への対象物の傾斜角度が対象角度を超えて傾斜が検出された後、該傾斜角度が対象角度を下回っても、該傾斜角度が平坦部２０ａに対する第２の傾斜部２０ｃの傾斜角度を下回るまでは傾斜が検出され続けるようにすること（いわゆるヒステリシス動作）が可能となっている。
【００１３】
ところで、平坦部２０ａの左右の幅寸法は、移動体１の直径よりも小さく、且つ、移動体１やハウジング２の温度による体積変化に関わらず移動体１が平坦部２０ａと一方の第１の傾斜部２０ｂとに同時に接しうる程度に大きくされている。これにより、対象方向での平坦部２０ａの寸法を移動体１の直径よりも大きくする場合に比べ、対象方向の振動による誤検出が抑制される。また、平坦部２０ａの上側において、案内溝５０ａの下向きの内面（すなわち、案内路２０の下向きの内面）には、少なくとも対象物が傾いていないときの移動体１を上方から見て覆う範囲において、対象物が傾いていないときに水平とされる非誘導部２０ｅが設けられている。これにより、非誘導部２０ｅを設けない場合に比べ、対象物が上下に振動した際に案内路２０の下向きの内面に移動体１が当たっても、移動体１が案内路２０の傾斜を上りにくくなるから、上下方向の振動による誤検出が抑制される。
【特許文献１】特開２００６−１０５７６３号公報
【発明の開示】
【発明が解決しようとする課題】
【００１４】
ここで、図１３〜図１６の例において、対象物の対象方向への傾斜角度が対象角度であった場合に、第３の傾斜部２０ｄが水平となることにより、移動体１の位置がボビン４０内には安定しなかった。これにより、対象物の対象方向への傾斜角度が一定（対象角度）であっても、移動体１がボビン４０内にあるときと移動体１がボビン４０外にあるときとで異なる出力となってしまうといったように、出力が安定しないことがあった。
【００１５】
本発明は、上記事由に鑑みて為されたものであり、その目的は、より安定した出力が得られる傾斜センサを提供することにある。
【課題を解決するための手段】
【００１６】
請求項１の発明は、対象物に対して固定され所定の対象方向の両側についてそれぞれ対象物の傾斜角度が所定の対象角度よりも大きいことを検出する傾斜センサであって、導電材料を含む球形状の移動体と、内部を移動体が変位可能な案内路が設けられ対象物に対して固定される案内体と、それぞれ案内路の対象方向での一端部ずつに近接配置された２個のコイルとを備え、案内路の上向きの内面は対象物が傾いていないときの移動体の位置から対象方向の両側に向かってそれぞれ上向きに傾斜しており、案内路の対象方向での両端部において、それぞれ、上向きの内面には、対象方向に向かって上向きの傾斜角度が対象角度よりも小さい緩傾部が設けられていて、案内体は、それぞれ内周面が案内路の対象方向での端部を構成するとともにコイルが巻回された２個のボビンと、ボビンの間において案内路の少なくとも上下の内面を構成する案内本体とを有し、緩傾部はボビンの内面のみに設けられていることを特徴とする。
【００１７】
この発明によれば、対象物の対象方向への傾斜角度が対象角度であるときには緩傾部がコイル側へ向かって下方に傾斜する形となるので、移動体の位置がコイル付近に安定しやすく、従って出力が安定する。また、ボビンを交換するだけで緩傾部を設けることができる。
【００２０】
請求項２の発明は、請求項１の発明において、対象物に対して固定される取付部を有するハウジングを備え、ハウジングは、各コイルと各ボビンと案内本体とがそれぞれ収納される収納凹部が設けられたボディと、ボディに結合して収納凹部を閉塞するカバーとを有し、ボディの収納凹部の内面には、案内本体に当接してボディに対して位置決めする位置決め部が設けられていることを特徴とする。
【００２１】
この発明によれば、対象角度が異なる複数種類の傾斜センサでハウジングを共用とすることができる。
【００２２】
請求項３の発明は、請求項１の発明において、案内本体は、合成樹脂成型品からなり、深さ方向が上下方向と対象方向とに交差する方向であって案内路となる案内溝と、対象物に対して固定される取付部とを有し、案内本体に結合して案内溝を閉塞するカバーを備えることを特徴とする。
【００２３】
この発明によれば、案内本体を成型するための金型のうち案内溝を形成する部分を別部品で構成すれば、該別部品の交換により容易に対象角度を変更することができる。
【００２４】
請求項４の発明は、請求項１の発明において、対象物に対して固定される取付部と各ボビン及び各コイルがそれぞれ収納される収納凹部とがそれぞれ設けられたボディを備え、案内本体は、合成樹脂成型品からなり、ボディに結合して収納凹部を閉塞するとともに、深さ方向が対象方向と上下方向とに交差する方向であってボディによって閉塞されて案内路となる案内溝を有することを特徴とする。
【００２５】
この発明によれば、取付部や収納凹部が案内本体とは別のボディに設けられていることにより、案内本体を比較的に単純な形状とすることができる。また、案内本体を成型するための金型のうち案内溝を形成する部分を別部品で構成すれば、該別部品の交換により容易に対象角度を変更することができる。
【００２６】
請求項５の発明は、請求項４の発明において、ボディにおいて案内溝を閉塞する部位には、ボディにおいて案内本体に向けられる面を上向きとしたときに移動体の一部が収納されて移動体を案内路の範囲内に保持する保持凹部が設けられていることを特徴とする。
【００２７】
この発明によれば、製造時に収納凹部内に移動体が収納されたボディに案内本体を組み付ける際には、移動体を保持凹部に保持させることにより、移動体が案内溝に入るようにボディに案内本体を組み付ける作業が容易となる。
【００２８】
請求項６の発明は、請求項３〜５のいずれかの発明において、案内本体の案内溝の内面において少なくとも対象物が傾いていないときに移動体を上下から挟む範囲は、二重成型により他の部位よりも柔軟な材料で構成されていることを特徴とする。
【００２９】
この発明によれば、対象物が上下に震動したときの案内路の内面への移動体の衝突による騒音や磨耗が抑制される。
【００３０】
請求項７の発明は、請求項１〜６のいずれかの発明において、案内本体の一部を挟む挟み部をボビンに設けたことを特徴とする。
【００３１】
この発明によれば、案内本体に対するボビンの位置ずれを抑えることができる。
【発明の効果】
【００３２】
請求項１の発明によれば、案内路の対象方向での両端部において、それぞれ、上向きの内面には、対象方向に向かって上向きの傾斜角度が対象角度よりも小さい緩傾部が設けられているので、対象物の対象方向への傾斜角度が対象角度であるときには緩傾部がコイル側へ向かって下方に傾斜する形となるから、移動体の位置がコイル付近に安定しやすく、従って出力が安定する。また、緩傾部はボビンの内面のみに設けられているので、ボビンを交換するだけで緩傾部を設けることができる。
【００３４】
請求項２の発明によれば、ボビン間で案内路の上下の内面を構成する案内本体が、対象物に固定されるハウジングとは別途に設けられているので、対象角度が異なる複数種類の傾斜センサでハウジングを共用とすることができる。
【００３５】
請求項３の発明によれば、案内本体は、合成樹脂成型品からなり、深さ方向が対象方向と上下方向とに交差する方向であって案内路となる案内溝と、対象物に対して固定される取付部とがそれぞれ設けられ、案内本体に結合して案内溝を閉塞するカバーを備えるので、案内本体を成型するための金型のうち案内溝を形成する部分を別部品で構成すれば、該別部品の交換により容易に対象角度を変更することができる。
【００３６】
請求項４の発明によれば、対象物に対して固定される取付部と各ボビン及び各コイルがそれぞれ収納される収納凹部とがそれぞれ設けられたボディを備え、案内本体は、合成樹脂成型品からなり、ボディに結合して収納凹部を閉塞するとともに、深さ方向が対象方向と上下方向とに交差する方向であってボディによって閉塞されて案内路となる案内溝を有するので、取付部や収納凹部が案内本体とは別のボディに設けられていることにより、案内本体を比較的に単純な形状とすることができる。また、案内本体を成型するための金型のうち案内溝を形成する部分を別部品で構成すれば、該別部品の交換により容易に対象角度を変更することができる。
【００３７】
請求項５の発明によれば、ボディにおいて案内溝を閉塞する部位には、ボディにおいて案内本体に向けられる面を上向きとしたときに移動体の一部が収納されて移動体を案内路の範囲内に保持する保持凹部が設けられているので、製造時に収納凹部内に移動体が収納されたボディに案内本体を組み付ける際には、移動体を保持凹部に保持させることにより、移動体が案内溝に入るようにボディに案内本体を組み付ける作業が容易となる。
【００３８】
請求項６の発明によれば、案内本体の案内溝の内面において少なくとも対象物が傾いていないときに移動体を上下から挟む範囲は、二重成型により他の部位よりも柔軟な材料で構成されているので、対象物が上下に震動したときの案内路の内面への移動体の衝突による騒音や磨耗が抑制される。
【００３９】
請求項７の発明によれば、案内本体の一部を挟む挟み部をボビンに設けたので、案内本体に対するボビンの位置ずれを抑えることができる。
【発明を実施するための最良の形態】
【００４０】
以下、本発明を実施するための最良の形態について、図面を参照しながら説明する。
【００４１】
本実施形態の基本構成は図１３〜図１６で示した従来例と共通であるので、共通する部分については同じ符号を付して図示並びに説明を省略し、異なる部分についてのみ説明する。
【００４２】
本実施形態では、図１（ａ）に示すように、案内路２０の対象方向である左右の両端部において、それぞれ第３の傾斜部２０ｄの左右方向の外側に、左右方向の外側に向かって上方への傾斜角度が対象角度よりも小さい緩傾部としての第４の傾斜部２０ｆを設けている。なお、図１（ａ）（ｂ）では右端部のみを図示しているが、左端部も同様である。
【００４３】
上記構成によれば、例えば対象物が対象方向である右方向に対象角度だけ傾斜した状態では、図１（ｂ）に示すように第４の傾斜部２０ｆがコイル４に向かって下向きの傾斜となり、ここに移動体１が安定しやすくなる。すなわち、図１３〜図１６の従来例に比べ、対象方向への傾斜角度が対象角度であるときの出力が安定する。また、第４の傾斜部２０ｆを設けたことにより、本実施形態では、対象物の対象方向（左右方向）への傾斜角度が対象角度以上となって傾斜が検出された後、移動体１が少なくとも第２の傾斜部２０ｃの位置まで復帰するために対象物の上記傾斜角度が下回るべき傾斜角度（以下、「復帰角度」と呼ぶ。）は、平坦部２０ａに対する第４の傾斜部２０ｆの傾斜角度となっており、つまり対象角度よりも小さくなっている。
【００４４】
また、案内路２０の左右方向の中央部において上下両側及び後側の内面を構成する案内溝５０ａを合成樹脂成型品からなる案内本体としてのボディ５に設けているので、ボディ５を製造するための金型のうち、図２（ａ）（ｂ）に破線Ｚで示すような案内溝５０ａの周囲を形成する部位を別部品で構成すれば、例えば対象角度が６０°の場合には図２（ａ）に示すようなボディ５を形成する部品を用い、対象角度が４５°の場合には図２（ｂ）に示すようなボディ５を形成する部品を用いるといったように、上記の金型において上記の別部品以外を、対象角度が互いに異なる複数種類の傾斜センサで共用とすることができる。図２（ａ）（ｂ）の例では、それぞれ第４の傾斜部２０ｆの傾斜角度は４５°未満の共通の値であり、従って復帰角度は互いに共通となっている。また、図２（ａ）（ｂ）のどちらの場合であってもコイル４の位置が共通となりコイルブロック３を共用とすることができるように、図２（ａ）の例よりもより対象角度が小さい図２（ｂ）の例のほうが、平坦部２０ａや第２の傾斜部２０ｃの長さが短く、かつ、第１の傾斜部２０ｂや第３の傾斜部２０ｄの長さが長くなっている。
【００４５】
なお、案内溝５０ａをボディ５に設ける代わりに、図３に示すようにボディ５において案内溝５０ａを構成する部位を削除するとともに、図４（ａ）（ｂ）に示すようにコイルボビン４０の間において案内路２０の上下両側と後側との内面を構成する案内本体７を、ボディ５に取り付けられる別部品としてもよい。図４（ａ）（ｂ）の例では、案内本体７の前面には、カバー６の凸部６１によって閉塞されてボビン４０間において案内路２０を構成する案内溝７０が設けられている。また、図３のボディ５の収納凹部５０の上向きの内面には、案内本体７の下端部を左右方向から挟持する上向きコ字形状の保持凸部５０ｄが設けられている。このように案内本体７を別途に設ければ、例えば対象角度が６０°であるときには図４（ａ）に示すような案内本体７を用い、対象角度が４５°であるときには図４（ｂ）に示すような案内本体７を用いるといったように、対象角度が互いに異なる複数種類の傾斜センサでは案内本体７のみを交換すればよく、案内本体７以外の部品は共用とすることができる。
【００４６】
又は、図５及び図６に示すように、ボディ５において案内溝５０ａを構成する部位を削除するとともに、カバー６において案内路２０の前面を構成する凸部６１の後面に、上下に対向してボビン４０間において案内路２０の上下の内面を構成する２個の上下凸部６２を後方に突設してもよい。この場合、カバー６が請求項における案内本体となり、案内路２０においてボビン４０間の部位は、上下凸部６１間に構成された案内溝６０がボディ５の収納凹部５０の内底面に閉塞されることによって形成される。この構成でも、カバー６を製造するための金型のうち、凸部６１及び上下凸部６２の周囲を形成する部位を別部品で構成すれば、上記の金型において上記の別部品以外を、対象角度が互いに異なる複数種類の傾斜センサで共用とすることができる。また、収納凹部５０や取付部５２を有するボディ５に比べ、カバー６は形状が単純であるから、上記の金型における別部品の交換は図４の場合と比べて容易となる。さらに、この場合、組立時にボディ５の収納凹部５０内の案内路２０となるべき部位に移動体１を仮固定するために、図７及び図８に示すようにボディ５の前面を上方に向けたときに移動体１を保持する保持凹部５０ｅを、ボディ５の収納凹部５０の内底面において案内溝６０を閉塞して案内路２０の内面を構成する部位（図７の例では左右方向の中央部）に設けることが望ましい。
【００４７】
また、図９及び図１０に示すように、第３の傾斜部２０ｄをボビン４０内まで延長し、緩傾部たる第４の傾斜部２０ｆをボビン４０内のみに設けてもよい。つまり、ボビン４０の上向きの内面には凹部が形成される。また、図９及び図１０の例では、第３の傾斜部２０ｄがボビン４０の内側まで及ぶとともに、第４の傾斜部２０ｆよりも左右方向の外側には、左右方向の外側に向かって上方への傾斜角度が対象角度である第５の傾斜部２０ｇを設けている。この構成を採用すれば、ボビン４０の変更だけで緩傾部たる第４の傾斜部２０ｆを設けることができる。
【００４８】
さらに、ボディ５又はカバー６又は案内本体７において、案内路２０の左右方向の中央部の上下の内面を構成する部位を、二重成型により、他の部位よりも柔軟な材料で形成してもよい。例えば図５〜図８の例のように案内溝６０がカバー６に設けられる場合、図１１においてハッチングを施した部位を、他の部位よりも柔軟な材料で形成する。図１１の例では、上下凸部６２のうち、平坦部２０ａと、第１及び第２の傾斜部２０ｂ，２０ｃと、その上側の部分とを、それぞれ他の部位よりも柔軟な材料で構成している。他の部位の材料としては例えばＡＢＳ樹脂を用いることができ、上記の柔軟な材料としては例えばエラストマーを用いることができる。この構成を採用すれば、対象物が上下に震動したときに移動体１が案内路２０の上下の内面に衝突することによる騒音や磨耗が抑制される。また、上記の柔軟な材料として、他の部位よりも柔軟なだけでなく摩擦係数が高い材料を用いれば、振動に伴う移動体の変位による誤検出を抑制することもできる。
【００４９】
また、図１２（ａ）（ｂ）に示すように、ボディ５又はカバー６又は案内本体７において案内路２０の左右方向の中央部の上下の内面を構成する部位を上下両側から挟む挟み部４０ｄをボビン４０に設けてもよい。この構成を採用すれば、案内溝５０ａ，６０や案内本体７に対するボビン４０の位置ずれを抑えることができる。
【図面の簡単な説明】
【００５０】
【図１】（ａ）（ｂ）はそれぞれ本発明の実施形態の要部を示す正面図であり、（ａ）は対象物が傾斜していないときの状態を示し、（ｂ）は対象物が対象方向に対象角度だけ傾斜した状態を示す。
【図２】（ａ）(ｂ)はそれぞれ同上におけるボディの一例を示す正面図であり、（ａ）(ｂ)はそれぞれ対象角度が異なるボディを示す。
【図３】同上の別の形態のボディを示す正面図である。
【図４】（ａ）（ｂ）はそれぞれ図３の形態で用いられる案内本体を示す正面図であり、（ａ）（ｂ）はそれぞれ対象角度が異なる場合の例を示す。
【図５】同上の更に別の形態を示す分解斜視図である。
【図６】図５の形態を分解した状態を示す平面図である。
【図７】同上の別の形態のボディを示す正面図である。
【図８】図７の形態の要部を示す断面図である。
【図９】同上の更に別の形態の要部を示す一部破断した正面図である。
【図１０】図９の形態の要部を示す断面図である。
【図１１】同上の別の形態におけるカバーを示す背面図である。
【図１２】（ａ）（ｂ）はそれぞれ同上の更に別の形態を示し、（ａ）は図１〜８の形態を変更した例を示し、（ｂ）は図９，１０の形態を変更した例を示す。
【図１３】傾斜センサの一例を示す、カバーとプリント配線板とを透視した正面図である。
【図１４】同上を示す分解斜視図である。
【図１５】同上を示す斜視図である。
【図１６】同上のコイルブロックを示す下面図である。
【符号の説明】
【００５１】
１  移動体
２  ハウジング
４  コイル
５  ボディ
６  カバー
７  案内本体
２０  案内路
２０ｆ  第４の傾斜部（請求項における緩傾部）
４０  ボビン
５０ａ，６０  案内溝
５０ｅ  保持凹部
【図１】
0004442680.tif 000002
【図２】
0004442680.tif 000003
【図３】
0004442680.tif 000004
【図４】
0004442680.tif 000005
【図５】
0004442680.tif 000006
【図６】
0004442680.tif 000007
【図７】
0004442680.tif 000008
【図８】
0004442680.tif 000009
【図９】
0004442680.tif 000010
【図１０】
0004442680.tif 000011
【図１１】
0004442680.tif 000012
【図１２】
0004442680.tif 000013
【図１３】
0004442680.tif 000014
【図１４】
0004442680.tif 000015
【図１５】
0004442680.tif 000016
【図１６】
0004442680.tif 000017